【手続補正書】
【提出日】平成19年10月26日(2007.10.26)
【手続補正１】
【補正対象書類名】明細書
【補正対象項目名】発明の名称
【補正方法】変更
【補正の内容】
【発明の名称】物流倉庫システム
【手続補正２】
【補正対象書類名】明細書
【補正対象項目名】特許請求の範囲
【補正方法】変更
【補正の内容】
【特許請求の範囲】
【請求項１】出荷指令情報により倉庫に格納されている製品を格納場所より他の場所に移動させる物流倉庫システムにおいて、出荷指令に基づく指示によって、その製品に関係する印刷物を作成する物流倉庫システムであって、前記出荷指令に基づく指示によって印刷物の在庫を確認し、その在庫情報に基づいて情報記録媒体又はデータベースから前記印刷物を作成する手段を有することを特徴とする物流倉庫システム。
【請求項２】出荷指令情報を受けると格納された印刷物をその出荷指令情報に基づいて有無を確認して、無い場合には該印刷物を作成して出荷することを特徴とする請求項１に記載の物流倉庫システム。
【請求項３】ネットからの情報を受けることができるサーバーもしくは端末を有する倉庫であって、印刷物は電子データとして実質的に空間を占有せずに存在し、出荷指令を受けると情報記録媒体の作成を行うことを特徴とする請求項１又は２に記載の物流倉庫システム。
【請求項４】出荷されるパンフレット、取扱説明書、技術マニュアル等の印刷物から選ばれる少なくとも１つをピッキングリストとの対応付け手段を添付してプリントして打ち出すことを特徴とする請求項１、２又は３に記載の物流倉庫システム。
【請求項５】出荷指令に基づく指示によってパンフレット、取扱説明書、技術マニュアル等の印刷物について在庫を確認し、在庫が無い場合は印刷物データベースを確認し、更にそこにデータが無い場合はネットを通じての他端末或いはサーバーから印刷物情報を読み出して印刷物を作成する手段を有することを特徴とする請求項１、２又は３に記載の物流倉庫システム。
【請求項６】出荷指令に基づく指示によって、パンフレット、取扱説明書、技術マニュアル等の少なくとも１つの印刷物について在庫を確認して無い場合は、次いでデータベースを確認し、更に無い場合は、ネット上の他の在庫或いはデータベース読み出し情報を入
手する物流倉庫システムで、且つ該印刷物についての過去の利用履歴を計測して、電子データで保管するか、印刷物で保管するかを判断して電子データで保管する場合は印刷物を電子データ化して記憶することを特徴とする請求項１〜５のいずれかに記載の物流倉庫システム。
【請求項７】出荷指令に基づく指示によって、その製品に関係する印刷物を作成して該製品と対応付けることを特徴とする請求項１〜６のいずれかに記載の物流倉庫システム。
【請求項８】出荷指令情報を受けると倉庫に格納された製品と、少なくとも１つ別の格納場所を有する該製品に添付する付属品をその出庫指令情報に基づいて有無を確認して、無い場合には該付属品を製造して該対象物に対応付けることを特徴とする物流倉庫システム。
【請求項９】前記倉庫が、ネットからの情報を受けることができるサーバーもしくは端末を有する倉庫であって、出荷対象物は物として空間を占有し、添付すべき情報は電子データとして実質的に空間を占有せずに存在し、出荷指令を受けると出荷すべき製品の存在とその製品に添付し対応付けすべき情報記録媒体の作成を行うことを特徴とする請求項８に記載の物流倉庫システム。
【請求項１０】出荷される出荷対象物の製品パンフレット、取扱説明書、技術マニュアル等の添付資料から選ばれる少なくとも１つを出荷対象物との対応付け手段を添付してプリントして打ち出すことを特徴とする請求項８又は９に記載の物流倉庫システム。
【請求項１１】出荷指令に基づく指示によって、その製品に関連する製品パンフレット、取扱説明書、技術マニュアル等の添付資料について在庫を確認し、在庫が無い場合は添付資料データベースを確認し、更にそこにデータが無い場合はネットを通じての他端末或いはサーバーから添付すべき必要情報を読み出して添付資料を作成する手段を有し、該出荷対象物は、出荷指令情報による必要な場所に移動せしめられた時には、少なくとも該添付資料が添付され対応付けられていることを特徴とする請求項８〜１０のいずれかに記載の物流倉庫システム。
【請求項１２】出荷指令情報を受けると倉庫に格納された出荷対象物を必要な場所に移動させる物流倉庫システムにおいて、出荷指令に基づく指示によって、その製品に関連する製品パンフレット、取扱説明書、技術マニュアル等の少なくとも１つの添付資料について在庫を確認して無い場合は、次いでデータベースを確認し、更に無い場合は、ネット上の他の在庫或いはデータベース読み出して情報を入手するシステムであって、該添付資料についての過去の利用履歴を計測して、電子データで保管するか、資料で保管するかを判断して電子データで保管する場合は添付資料を電子データ化して記憶することを特徴とする物流倉庫システム。
【請求項１３】出荷指令情報を受けると倉庫に格納された出荷対象物を必要な場所に移動させる物流倉庫システムにおいて、出荷指令に基づく指示によって物流ラインを流れる製品及び製品に関連するものを非接触で特定する手段を有し、その製品に係わるパンフレット、取扱説明書、技術マニュアル等の添付資料について在庫を確認して無い場合は、次いでデータベースを確認し、更に無い場合は、ネット上の他の在庫或いはデータベース読み出し情報を入手して該製品に対応付けてプリントアウトすることを特徴とする物流倉庫システム。
【請求項１４】対応付けたもの同士を同一梱包することを特徴とする請求項１３に記載の物流倉庫システム。
【手続補正３】
【補正対象書類名】明細書
【補正対象項目名】００１１
【補正方法】変更
【補正の内容】
【００１１】
【課題を解決するための手段】
本発明の上記第１の目的は下記手段により達成される。
【手続補正４】
【補正対象書類名】明細書
【補正対象項目名】００１２
【補正方法】変更
【補正の内容】
【００１２】
１．出荷指令情報により倉庫に格納されている製品を格納場所より他の場所に移動させる物流倉庫システムにおいて、出荷指令に基づく指示によって、その製品に関係する印刷物を作成する物流倉庫システムであって、前記出荷指令に基づく指示によって印刷物の在庫を確認し、その在庫情報に基づいて情報記録媒体又はデータベースから前記印刷物を作成する手段を有することを特徴とする物流倉庫システム。
【手続補正５】
【補正対象書類名】明細書
【補正対象項目名】００１３
【補正方法】変更
【補正の内容】
【００１３】
２．出荷指令情報を受けると格納された印刷物をその出荷指令情報に基づいて有無を確認して、無い場合には該印刷物を作成して出荷することを特徴とする前記１に記載の物流倉庫システム。
【手続補正６】
【補正対象書類名】明細書
【補正対象項目名】００１４
【補正方法】変更
【補正の内容】
【００１４】
３．ネットからの情報を受けることができるサーバーもしくは端末を有する倉庫であって、印刷物は電子データとして実質的に空間を占有せずに存在し、出荷指令を受けると情報記録媒体の作成を行うことを特徴とする前記１又は２に記載の物流倉庫システム。
【手続補正７】
【補正対象書類名】明細書
【補正対象項目名】００１５
【補正方法】変更
【補正の内容】
【００１５】
４．出荷指令に基づく指示によってパンフレット、取扱説明書、技術マニュアル等の印刷物について在庫を確認し、在庫が無い場合は印刷物データベースを確認し、更にそこにデータが無い場合はネットを通じての他端末或いはサーバーから印刷物情報を読み出して印刷物を作成する手段を有することを特徴とする前記１、２又は３に記載の物流倉庫システム。
【手続補正８】
【補正対象書類名】明細書
【補正対象項目名】００１６
【補正方法】変更
【補正の内容】
【００１６】
５．出荷指令に基づく指示によってパンフレット、取扱説明書、技術マニュアル等の印刷物について在庫を確認し、在庫が無い場合は印刷物データベースを確認し、更にそこにデータが無い場合はネットを通じての他端末或いはサーバーから印刷物情報を読み出して印刷物を作成する手段を有することを特徴とする前記１、２又は３に記載の物流倉庫システム。
【手続補正９】
【補正対象書類名】明細書
【補正対象項目名】００１７
【補正方法】変更
【補正の内容】
【００１７】
６．出荷指令に基づく指示によって、パンフレット、取扱説明書、技術マニュアル等の少なくとも１つの印刷物について在庫を確認して無い場合は、次いでデータベースを確認し、更に無い場合は、ネット上の他の在庫或いはデータベース読み出し情報を入手する物流倉庫システムで、且つ該印刷物についての過去の利用履歴を計測して、電子データで保管するか、印刷物で保管するかを判断して電子データで保管する場合は印刷物を電子データ化して記憶することを特徴とする前記１〜５のいずれかに記載の物流倉庫システム。
【手続補正１０】
【補正対象書類名】明細書
【補正対象項目名】００１８
【補正方法】変更
【補正の内容】
【００１８】
一方、本発明の上記第２の目的は下記手段により達成される。
７．出荷指令に基づく指示によって、その製品に関係する印刷物を作成して該製品と対応付けることを特徴とする前記１〜６のいずれかに記載の物流倉庫システム。
【手続補正１１】
【補正対象書類名】明細書
【補正対象項目名】００１９
【補正方法】変更
【補正の内容】
【００１９】
８．出荷指令情報を受けると倉庫に格納された製品と、少なくとも１つ別の格納場所を有する該製品に添付する付属品をその出庫指令情報に基づいて有無を確認して、無い場合には該付属品を製造して該対象物に対応付けることを特徴とする物流倉庫システム。
【手続補正１２】
【補正対象書類名】明細書
【補正対象項目名】００２０
【補正方法】変更
【補正の内容】
【００２０】
９．前記倉庫が、ネットからの情報を受けることができるサーバーもしくは端末を有する倉庫であって、出荷対象物は物として空間を占有し、添付すべき情報は電子データとして実質的に空間を占有せずに存在し、出荷指令を受けると出荷すべき製品の存在とその製品
に添付し対応付けすべき情報記録媒体の作成を行うことを特徴とする前記８に記載の物流倉庫システム。
【手続補正１３】
【補正対象書類名】明細書
【補正対象項目名】００２１
【補正方法】変更
【補正の内容】
【００２１】
１０．出荷される出荷対象物の製品パンフレット、取扱説明書、技術マニュアル等の添付資料から選ばれる少なくとも１つを出荷対象物との対応付け手段を添付してプリントして打ち出すことを特徴とする前記８又は９に記載の物流倉庫システム。
【手続補正１４】
【補正対象書類名】明細書
【補正対象項目名】００２２
【補正方法】変更
【補正の内容】
【００２２】
１１．出荷指令に基づく指示によって、その製品に関連する製品パンフレット、取扱説明書、技術マニュアル等の添付資料について在庫を確認し、在庫が無い場合は添付資料データベースを確認し、更にそこにデータが無い場合はネットを通じての他端末或いはサーバーから添付すべき必要情報を読み出して添付資料を作成する手段を有し、該出荷対象物は、出荷指令情報による必要な場所に移動せしめられた時には、少なくとも該添付資料が添付され対応付けられていることを特徴とする前記８〜１０のいずれかに記載の物流倉庫システム。
【手続補正１５】
【補正対象書類名】明細書
【補正対象項目名】００２３
【補正方法】変更
【補正の内容】
【００２３】
１２．出荷指令情報を受けると倉庫に格納された出荷対象物を必要な場所に移動させる物流倉庫システムにおいて、出荷指令に基づく指示によって、その製品に関連する製品パンフレット、取扱説明書、技術マニュアル等の少なくとも１つの添付資料について在庫を確認して無い場合は、次いでデータベースを確認し、更に無い場合は、ネット上の他の在庫或いはデータベース読み出して情報を入手するシステムであって、該添付資料についての過去の利用履歴を計測して、電子データで保管するか、資料で保管するかを判断して電子データで保管する場合は添付資料を電子データ化して記憶することを特徴とする物流倉庫システム。
【手続補正１６】
【補正対象書類名】明細書
【補正対象項目名】００２４
【補正方法】変更
【補正の内容】
【００２４】
１３．出荷指令情報を受けると倉庫に格納された出荷対象物を必要な場所に移動させる物流倉庫システムにおいて、出荷指令に基づく指示によって物流ラインを流れる製品及び製
品に関連するものを非接触で特定する手段を有し、その製品に係わるパンフレット、取扱説明書、技術マニュアル等の添付資料について在庫を確認して無い場合は、次いでデータベースを確認し、更に無い場合は、ネット上の他の在庫或いはデータベース読み出し情報を入手して該製品に対応付けてプリントアウトすることを特徴とする物流倉庫システム。
【手続補正１７】
【補正対象書類名】明細書
【補正対象項目名】００２５
【補正方法】変更
【補正の内容】
【００２５】
１４．対応付けたもの同士を同一梱包することを特徴とする前記１３に記載の物流倉庫システム。
【手続補正１８】
【補正対象書類名】明細書
【補正対象項目名】００３２
【補正方法】変更
【補正の内容】
【００３２】
この態様は、出荷指令に基づく指示によって、印刷物について在庫を確認し、その在庫情報に基づいて情報記録媒体又はデータベースから前記印刷物を作成する手段を有することを特徴とする。この態様では、印刷物は自動倉庫等による保管を行っておらず、出荷指令に基づいて印刷物をその都度作成するものである。印刷物の作成は自動倉庫等に付随する場所、例えば、隣接ないしは近接する建物或いは倉庫内に配置した印刷機器による。印刷機器としては、デジタル複写機（プリンター）、デジタル印刷機、デジタルファックスなどの、デジタル情報のプリントアウト手段が挙げられる。
【手続補正１９】
【補正対象書類名】明細書
【補正対象項目名】００３４
【補正方法】変更
【補正の内容】
【００３４】
第２の態様（請求項４）は、印刷物と出荷指令を現場担当者に指示するピッキングリストの対応付け手段を添付してプリントして打ち出すことを特徴とする。この態様では、印刷物の印刷と共に、どこで印刷出力されたか示すコード等をピッキングリストに併せ出力するものとする。
【手続補正２０】
【補正対象書類名】明細書
【補正対象項目名】００３５
【補正方法】変更
【補正の内容】
【００３５】
第３の態様（請求項５）は、出荷指令に基づく指示によって、印刷物について在庫を確認し、在庫が無い場合は印刷物データベースを確認し、更にそこにデータが無い（在庫無しのデータ）場合はネットを通じての他端末或いはサーバーから添付すべき必要情報を読み出して印刷物を作成する手段を有することを特徴とする。
【手続補正２１】
【補正対象書類名】明細書
【補正対象項目名】００３７
【補正方法】変更
【補正の内容】
【００３７】
次に本発明に係る物流倉庫システムの管理関係について説明する。
本態様（請求項６）は出荷指令情報を受けると格納された印刷物を必要な場所に移動させる物流倉庫システムにおいて、出荷指令に基づく指示によって、パンフレット、取扱説明書、技術マニュアル等の少なくとも１つの印刷物について在庫を確認して、無い（在庫無しのデータ）場合は、次いでデータベースを確認し、更に無い場合は、ネット上の他の在庫或いはデータベース読み出し情報を入手するシステムであって、該印刷物についての過去の利用履歴を計測して、電子データで保管するか、印刷物で保管するかを判断して電子データで保管する場合は印刷物を電子データ化して記憶することを特徴とする物流倉庫システムである。
【手続補正２２】
【補正対象書類名】明細書
【補正対象項目名】００３９
【補正方法】変更
【補正の内容】
【００３９】
更に本発明に係る物流倉庫システムについて説明する。
第１の態様（請求項２）は、出荷指令情報を受けると印刷物をその出庫指令情報に基づいて有無を確認して、無い（在庫無しのデータ）場合には該印刷物を製造して出荷することを特徴とする。
【手続補正２３】
【補正対象書類名】明細書
【補正対象項目名】００４０
【補正方法】変更
【補正の内容】
【００４０】
第２の態様（請求項３）は、製品及び印刷物を保管する倉庫がネットからの情報を受けることができるサーバーもしくは端末を有しており、印刷物は電子データとして実質的に空間を占有せずに存在し、出荷指令を受けると情報記録媒体（例えば、フロッピー（登録商標）ディスク、ＣＤ、ＭＤ、ＭＯ、紙、フィルム媒体、ＩＣカード等）の作成（印刷物の印刷）を行うことを特徴とする。
【手続補正２４】
【補正対象書類名】明細書
【補正対象項目名】００４６
【補正方法】変更
【補正の内容】
【００４６】
第２の発明に係る物流倉庫システムについて更に説明する。
請求項７に示す態様は、出荷指令に基づく指示によって、印刷物を作成して該製品と対応付けることを特徴とする。この態様では、印刷物は自動倉庫による保管を行っておらず、出荷指令に基づいて出庫される製品に対応する印刷物をその都度作成し、製品に添付し対応付けするものである。印刷物の作成は、自動倉庫に併設した設備で行ってもよいし、他の外注先に発注してもよい。第２の発明において、「該製品と対応付ける」とは、少な
くとも店頭等の末端部所では製品と印刷物、情報記録媒体、添付資料、付属品とが一体のものとして取り扱われるように物流管理されることを意味する。
【手続補正２５】
【補正対象書類名】明細書
【補正対象項目名】００４７
【補正方法】変更
【補正の内容】
【００４７】
第２の発明においても、出荷指令に基づく指示によって、印刷物について在庫を確認し、その在庫情報に基づいて情報記録媒体から前記印刷物を作成する手段を有する。この態様では、前記請求項７の発明と同様、印刷物は自動倉庫による保管を行っておらず、出荷指令に基づいて出庫される製品に対応する印刷物をその都度作成し、製品に添付し対応付けるものである。印刷物の作成は自動倉庫に付随する場所、例えば、隣接ないしは近接する建物或いは自動倉庫内に配置した印刷機器による。印刷機器としては、デジタル複写機（プリンター）、デジタル印刷機、デジタルファックスなどの、デジタル情報のプリントアウト手段が挙げられる。
【手続補正２６】
【補正対象書類名】明細書
【補正対象項目名】００４９
【補正方法】変更
【補正の内容】
【００４９】
請求項１０に示す態様は、印刷物を出荷対象物である製品との対応付け手段を添付してプリントして打ち出すことを特徴とする。この態様では、印刷物の印刷と共に、どの製品に対応付けられる印刷物であるかを示す製品コード表等を併せ出力するものとする。
【手続補正２７】
【補正対象書類名】明細書
【補正対象項目名】００５０
【補正方法】変更
【補正の内容】
【００５０】
請求項１１に示す態様は、出荷指令に基づく指示によって、印刷物について在庫を確認し、在庫が無い場合は添付資料データベースを確認し、更にそこにデータが無い（在庫無しのデータ）場合はネットを通じての他端末或いはサーバーから添付すべき必要情報を読み出す添付資料を作成する手段を有し、該出荷対象物は、出荷指令情報による必要な場所に移動せしめられた時には、少なくとも該添付資料が添付され対応付けられていることを特徴とする。
【手続補正２８】
【補正対象書類名】明細書
【補正対象項目名】００５２
【補正方法】変更
【補正の内容】
【００５２】
請求項１３に示す態様は、出荷指令に基づく指示によって物流ラインを流れる製品及び製品に関連するものを非接触で特定する手段を有し、その製品に係わる印刷物について在庫を確認して無い（在庫無しのデータ）場合は、次いでデータベースを確認し、更に無い
場合は、ネット上の他の在庫或いはデータベース読み出し情報を入手して該製品に対応付けてプリントアウトすることを特徴とする。
【手続補正２９】
【補正対象書類名】明細書
【補正対象項目名】００５４
【補正方法】変更
【補正の内容】
【００５４】
上記の請求項７、１０、１１及び１３に示す態様において、製品に添付され対応付けられる印刷物は遅くとも出荷時には同一梱包された状態で出荷されることが好ましい。
【手続補正３０】
【補正対象書類名】明細書
【補正対象項目名】００５６
【補正方法】変更
【補正の内容】
【００５６】
次に第２の発明に係る物流倉庫システムの管理関係について説明する。
請求項１２に示す態様は、出荷指令情報を受けると格納された出荷対象物を必要な場所に移動させる物流システムにおいて、出荷指令に基づく指示によって、その製品に関連する製品パンフレット、取扱説明書、技術マニュアル等の少なくとも１つの添付資料について在庫を確認して、無い（在庫無しのデータ）場合は、次いでデータベースを確認し、更に無い場合は、ネット上の他の在庫或いはデータベース読み出し情報を入手するシステムであって、該添付資料についての過去の利用履歴を計測して、電子データで保管するか、資料で保管するかを判断して電子データで保管する場合は添付資料を電子データ化して記憶することを特徴とする物流倉庫システムである。
【手続補正３１】
【補正対象書類名】明細書
【補正対象項目名】００５８
【補正方法】変更
【補正の内容】
【００５８】
次に第２の発明に係る物流倉庫システムの付属品関係について説明する。
請求項８に示す態様は、出荷指令情報を受けると格納された製品と、少なくとも１つ別の格納場所を有する付属品をその出庫指令情報に基づいて有無を確認して、無い（在庫無しのデータ）場合には該付属品を製造して該対象物に対応付けることを特徴とする。ここで付属品とは、包装箱・包装材の如き包装用品、製品ラベル、装飾品、製品に付ける御負品（オマケヒン）、ストラップ等のその製品に付ける品物をいう。
【手続補正３２】
【補正対象書類名】明細書
【補正対象項目名】００６０
【補正方法】変更
【補正の内容】
【００６０】
請求項９に示す態様は、製品及び印刷物を保管する自動倉庫がネットからの情報を受けることができるサーバーもしくは端末を有しており、出荷対象物は物として空間を占有し、添付し対応付けすべき情報は電子データとして実質的に空間を占有せずに存在し、出荷
指令を受けると出荷すべき製品の存在とその製品に添付し対応付けすべき情報記録媒体（例えば、フロッピー（登録商標）ディスク、ＣＤ、ＭＤ、ＭＯ、紙、フィルム媒体、ＩＣカード等）の作成（印刷物の印刷）を行うことを特徴とする。
【手続補正３３】
【補正対象書類名】明細書
【補正対象項目名】００６６
【補正方法】変更
【補正の内容】
【００６６】
本発明の物流倉庫システムはインターネットに代表されるネットワーク化を図ることにより、本社・支社を問わず、個人レベルの営業部員などからのモバイル端末による出荷の手配が可能となる。
【手続補正３４】
【補正対象書類名】明細書
【補正対象項目名】００６９
【補正方法】変更
【補正の内容】
【００６９】
【発明の効果】
本発明によれば、製品に関する印刷物を効率的に管理できる物流倉庫システムを提供することができる。
【手続補正３５】
【補正対象書類名】明細書
【補正対象項目名】図面の簡単な説明
【補正方法】変更
【補正の内容】
【図面の簡単な説明】
【図１】本発明に係る物流倉庫システムの一実施例を示す概念図